(57)【要約】  ワイヤレス通信方法は、第１のスロット中の物理アップリンク制御チャネル（ＰＵＣＣＨ）データを第１の直交カバーコード（ＯＣＣ）に割り振ることを含む。本方法はまた、同じサブフレームの第２のスロット中のＰＵＣＣＨデータを異なる直交カバーコード（ＯＣＣ）に割り振ることを含む。別の方法は、ユーザ機器（ＵＥ）固有シグナリングパラメータ（たとえば、リソースインデックス）とサブフレームのスロット中のシンボルの数とに基づいてＰＵＣＣＨリソースを物理リソースブロックにマッピングすることを含む。
2013539951.tif 000002
【特許請求の範囲】
【請求項１】
第１の直交カバーコード（ＯＣＣ）を用いてサブフレームの第１のスロット中で物理アップリンク制御チャネル（ＰＵＣＣＨ）データを送信することと、
前記第１のＯＣＣとは異なる第２の直交カバーコードを用いて前記サブフレームの第２のスロット中で物理アップリンク制御チャネル（ＰＵＣＣＨ）データを送信することと
を備える、ワイヤレス通信の方法。
【請求項２】
前記ＰＵＣＣＨデータが離散フーリエ変換（ＤＦＴ）拡散シングルキャリア周波数分割多重化（ＳＣ−ＦＤＭ）フォーマットに従う、請求項１に記載の方法。
【請求項３】
前記ＰＵＣＣＨデータがフォーマット３に従う、請求項２に記載の方法。
【請求項４】
前記第１のＯＣＣと前記第２のＯＣＣとがユーザ機器（ＵＥ）固有シグナリングパラメータに基づく、請求項１に記載の方法。
【請求項５】
前記第２のＯＣＣが、前記第２のスロット中のデータのために利用可能なシンボルの数にさらに基づく、請求項４に記載の方法。
【請求項６】
前記ＵＥ固有シグナリングパラメータが、前記ＰＵＣＣＨデータを送信するために使用されるリソースを識別するリソースインデックスを含む、請求項４に記載の方法。
【請求項７】
物理アップリンク制御チャネル（ＰＵＣＣＨ）データを受信することと、
第１の直交カバーコード（ＯＣＣ）を有するサブフレームの第１のスロット中の前記ＰＵＣＣＨデータを逆拡散することと、
前記第１のＯＣＣとは異なる第２の直交カバーコードを有する前記サブフレームの第２のスロット中の前記ＰＵＣＣＨデータを逆拡散することと
を備える、ワイヤレス通信の方法。
【請求項８】
ユーザ機器（ＵＥ）固有シグナリングパラメータを判断することと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信することと
を備える、ワイヤレス通信の方法。
【請求項９】
複数のＵＥのための前記ユーザ機器（ＵＥ）固有シグナリングパラメータは、ＵＥのペア間の推定干渉のメトリックが前記サブフレームの第１のスロットと前記サブフレームの第２のスロットとの間で異なる方法で選択される、請求項８に記載の方法。
【請求項１０】
推定干渉の前記メトリックが、ＵＥの前記ペアに割り当てられる前記２つのＯＣＣ間の時間変動無線チャネルにおける予想平均相互相関である、請求項９に記載の方法。
【請求項１１】
ＰＲＢにマッピングされた前記ＰＵＣＣＨリソースが、第１のＰＵＣＣＨフォーマット３リソースをマッピングするために使用される周波数オフセットにさらに基づく、請求項９に記載の方法。
【請求項１２】
ユーザ機器（ＵＥ）固有シグナリングパラメータを判断することと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信することと
を備える、ワイヤレス通信の方法。
【請求項１３】
メモリと、
前記メモリに結合された少なくとも１つのプロセッサであって、
第１の直交カバーコード（ＯＣＣ）を用いてサブフレームの第１のスロット中で物理アップリンク制御チャネル（ＰＵＣＣＨ）データを送信することと、
前記第１のＯＣＣとは異なる第２の直交カバーコードを用いて前記サブフレームの第２のスロット中で物理アップリンク制御チャネル（ＰＵＣＣＨ）データを送信することと
を行うように構成された少なくとも１つのプロセッサと
を備える、ワイヤレス通信のための装置。
【請求項１４】
前記ＰＵＣＣＨデータが離散フーリエ変換（ＤＦＴ）拡散シングルキャリア周波数分割多重化（ＳＣ−ＦＤＭ）フォーマットに従う、請求項１３に記載の装置。
【請求項１５】
前記ＰＵＣＣＨデータがフォーマット３に従う、請求項１４に記載の装置。
【請求項１６】
前記第１のＯＣＣと前記第２のＯＣＣとがユーザ機器（ＵＥ）固有シグナリングパラメータに基づく、請求項１３に記載の装置。
【請求項１７】
前記第２のＯＣＣが、前記第２のスロット中のデータのために利用可能なシンボルの数にさらに基づく、請求項１６に記載の装置。
【請求項１８】
前記ＵＥ固有シグナリングパラメータが、前記ＰＵＣＣＨデータを送信するために使用されるリソースを識別するリソースインデックスを含む、請求項１６に記載の装置。
【請求項１９】
メモリと、
前記メモリに結合された少なくとも１つのプロセッサであって、
物理アップリンク制御チャネル（ＰＵＣＣＨ）データを受信することと、
第１の直交カバーコード（ＯＣＣ）を有するサブフレームの第１のスロット中の前記ＰＵＣＣＨデータを逆拡散することと、
前記第１のＯＣＣとは異なる第２の直交カバーコードを有する前記サブフレームの第２のスロット中の前記ＰＵＣＣＨデータを逆拡散することと
を行うように構成された少なくとも１つのプロセッサと
を備える、ワイヤレス通信のための装置。
【請求項２０】
メモリと、
前記メモリに結合された少なくとも１つのプロセッサであって、
ユーザ機器（ＵＥ）固有シグナリングパラメータを判断することと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信することと
を行うように構成された少なくとも１つのプロセッサと
を備える、ワイヤレス通信のための装置。
【請求項２１】
複数のＵＥのための前記ＵＥ固有シグナリングパラメータは、ＵＥのペア間の推定干渉のメトリックが前記サブフレームの第１のスロットと前記サブフレームの第２のスロットとの間で異なる方法で選択される、請求項２０に記載の装置。
【請求項２２】
推定干渉の前記メトリックが、ＵＥの前記ペアに割り当てられる前記２つのＯＣＣ間の時間変動無線チャネルにおける予想平均相互相関である、請求項２１に記載の装置。
【請求項２３】
ＰＲＢにマッピングされる前記ＰＵＣＣＨリソースが、第１のＰＵＣＣＨフォーマット３リソースをマッピングするために使用される周波数オフセットにさらに基づく、請求項２１に記載の装置。
【請求項２４】
メモリと、
前記メモリに結合された少なくとも１つのプロセッサであって、
ユーザ機器（ＵＥ）固有シグナリングパラメータを判断することと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信することと
を行うように構成された少なくとも１つのプロセッサと
を備える、ワイヤレス通信のための装置。
【請求項２５】
第１の直交カバーコード（ＯＣＣ）を用いてサブフレームの第１のスロット中で物理アップリンク制御チャネル（ＰＵＣＣＨ）データを送信するための手段と、
前記第１のＯＣＣとは異なる第２の直交カバーコードを用いて前記サブフレームの第２のスロット中で物理アップリンク制御チャネル（ＰＵＣＣＨ）データを送信するための手段と
を備える、ワイヤレス通信のための装置。
【請求項２６】
物理アップリンク制御チャネル（ＰＵＣＣＨ）データを受信するための手段と、
第１の直交カバーコード（ＯＣＣ）を有するサブフレームの第１のスロット中の前記ＰＵＣＣＨデータを逆拡散するための手段と、
前記第１のＯＣＣとは異なる第２の直交カバーコードを有する前記サブフレームの第２のスロット中の前記ＰＵＣＣＨデータを逆拡散するための手段と
を備える、ワイヤレス通信のための装置。
【請求項２７】
ユーザ機器（ＵＥ）固有シグナリングパラメータを判断するための手段と、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信するための手段と
を備える、ワイヤレス通信のための装置。
【請求項２８】
ユーザ機器（ＵＥ）固有シグナリングパラメータを判断するための手段と、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信するための手段と
を備える、ワイヤレス通信のための装置。
【請求項２９】
非一時的プログラムコードを記録したコンピュータ可読媒体
を備える、ワイヤレスネットワークにおけるワイヤレス通信のためのコンピュータプログラム製品であって、
前記プログラムコードが、
第１の直交カバーコード（ＯＣＣ）を用いてサブフレームの第１のスロット中で物理アップリンク制御チャネル（ＰＵＣＣＨ）データを送信するためのプログラムコードと、
前記第１のＯＣＣとは異なる第２の直交カバーコードを用いて前記サブフレームの第２のスロット中で物理アップリンク制御チャネル（ＰＵＣＣＨ）データを送信するためのプログラムコードと
を備える、コンピュータプログラム製品。
【請求項３０】
非一時的プログラムコードを記録したコンピュータ可読媒体
を備える、ワイヤレスネットワークにおけるワイヤレス通信のためのコンピュータプログラム製品であって、
前記プログラムコードが、
物理アップリンク制御チャネル（ＰＵＣＣＨ）データを受信するためのプログラムコードと、
第１の直交カバーコード（ＯＣＣ）を有するサブフレームの第１のスロット中の前記ＰＵＣＣＨデータを逆拡散するためのプログラムコードと、
前記第１のＯＣＣとは異なる第２の直交カバーコードを有する前記サブフレームの第２のスロット中の前記ＰＵＣＣＨデータを逆拡散するためのプログラムコードと
を備える、コンピュータプログラム製品。
【請求項３１】
非一時的プログラムコードを記録したコンピュータ可読媒体
を備える、ワイヤレスネットワークにおけるワイヤレス通信のためのコンピュータプログラム製品であって、
前記プログラムコードが、
ユーザ機器（ＵＥ）固有シグナリングパラメータを判断するためのプログラムコードと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信するためのプログラムコードと
を備える、コンピュータプログラム製品。
【請求項３２】
非一時的プログラムコードを記録したコンピュータ可読媒体
を備える、ワイヤレスネットワークにおけるワイヤレス通信のためのコンピュータプログラム製品であって、
前記プログラムコードが、
ユーザ機器（ＵＥ）固有シグナリングパラメータを判断するためのプログラムコードと、
前記ＵＥ固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信するためのプログラムコードと
を備える、コンピュータプログラム製品。
【請求項３３】
ユーザ機器（ＵＥ）固有シグナリングパラメータを判断することと、
ＰＵＣＣＨデータ送信のために使用される第１および第２の直交カバーコード（ＯＣＣ）を選択するためにＵＥに前記ＵＥ固有シグナリングパラメータを送信することと
を備える、ワイヤレス通信の方法。
【請求項３４】
複数のＵＥのための前記ＵＥ固有シグナリングパラメータは、ＵＥのペア間の推定干渉のメトリックがサブフレームの第１のスロットと前記サブフレームの第２のスロットとの間で異なる方法で選択される、請求項３３に記載の方法。
【請求項３５】
推定干渉の前記メトリックが、ＵＥの前記ペアに割り当てられる前記２つのＯＣＣ間の時間変動無線チャネルにおける予想平均相互相関である、請求項３４に記載の方法。
【請求項３６】
メモリと、
前記メモリに結合された少なくとも１つのプロセッサと
を備える、ワイヤレス通信のための装置であって、前記少なくとも１つのプロセッサが構成される、装置。
【請求項３７】
複数のＵＥのための前記ＵＥ固有シグナリングパラメータは、ＵＥのペア間の推定干渉のメトリックがサブフレームの第１のスロットと前記サブフレームの第２のスロットとの間で異なる方法で選択される、請求項３６に記載の装置。
【請求項３８】
推定干渉の前記メトリックが、ＵＥの前記ペアに割り当てられる前記２つのＯＣＣ間の時間変動無線チャネルにおける予想平均相互相関である、請求項３７に記載の装置。
【請求項３９】
ユーザ機器（ＵＥ）固有シグナリングパラメータを判断するための手段と、
ＰＵＣＣＨデータ送信のために使用される第１および第２の直交カバーコード（ＯＣＣ）を選択するためにＵＥに前記ＵＥ固有シグナリングパラメータを送信するための手段と
を備える、ワイヤレス通信のための装置。
【請求項４０】
複数のＵＥのための前記ユーザ機器（ＵＥ）固有シグナリングパラメータは、ＵＥのペア間の推定干渉のメトリックがサブフレームの第１のスロットと前記サブフレームの第２のスロットとの間で異なる方法で選択される、請求項３９に記載の方法。
【請求項４１】
推定干渉の前記メトリックが、ＵＥの前記ペアに割り当てられる前記２つのＯＣＣ間の時間変動無線チャネルにおける予想平均相互相関である、請求項４０に記載の方法。
【請求項４２】
非一時的プログラムコードを記録したコンピュータ可読媒体
を備える、ワイヤレスネットワークにおけるワイヤレス通信のためのコンピュータプログラム製品であって、
前記プログラムコードが、
ユーザ機器（ＵＥ）固有シグナリングパラメータを判断するためのプログラムコードと、
ＰＵＣＣＨデータ送信のために使用される第１および第２の直交カバーコード（ＯＣＣ）を選択するためにＵＥに前記ＵＥ固有シグナリングパラメータを送信するためのプログラムコードと
を備える、コンピュータプログラム製品。
【請求項４３】
複数のＵＥのための前記ＵＥ固有シグナリングパラメータは、ＵＥのペア間の推定干渉のメトリックがサブフレームの第１のスロットと前記サブフレームの第２のスロットとの間で異なる方法で選択される、請求項４２に記載のコンピュータプログラム製品。
【請求項４４】
推定干渉の前記メトリックが、ＵＥの前記ペアに割り当てられる前記２つのＯＣＣ間の時間変動無線チャネルにおける予想平均相互相関である、請求項４３に記載のコンピュータプログラム製品。
【発明の詳細な説明】
【技術分野】
【０００１】
関連出願の相互参照
本出願は、開示の全体が参照により本明細書に明確に組み込まれる、２０１０年１０月１１日に出願された、ＧＡＡＬらへの米国仮特許出願第６１／３９１，９９１号、および２０１０年１１月９日に出願された、ＧＡＡＬらへの米国仮特許出願第６１／４１１，８５４号の利益を主張する。
【０００２】
本開示は、一般に通信に関し、より詳細には、ロングタームエボリューション（ＬＴＥ）ワイヤレス通信システムにおいて送信リソースを割り振るための技法に関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００５】
モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００６】
これらおよび他の問題は、直交カバーコード（ＯＣＣ：orthogonal cover code）などのリソースを物理アップリンク制御チャネル（ＰＵＣＣＨ：physical uplink control channel）フォーマット３データに割り振り、ＰＵＣＣＨフォーマット３リソースを物理リソースブロック（ＰＲＢ：physical resource block）に割り振る開示する技法によって解決される。
【０００７】
一態様では、ワイヤレス通信の方法を開示する。本方法は、第１の直交カバーコード（ＯＣＣ）を用いてサブフレームの第１のスロット中で物理アップリンク制御チャネル（ＰＵＣＣＨ）データを送信することを含む。本方法はまた、第１のＯＣＣとは異なる第２の直交カバーコードを用いてサブフレームの第２のスロット中で物理アップリンク制御チャネル（ＰＵＣＣＨ）データを送信することを含む。
【０００８】
別の態様では、ワイヤレス通信の方法は、物理アップリンク制御チャネル（ＰＵＣＣＨ）データを受信することを開示する。本方法はまた、第１の直交カバーコード（ＯＣＣ）を有するサブフレームの第１のスロット中のＰＵＣＣＨデータを逆拡散することを開示する。また、第１のＯＣＣとは異なる第２の直交カバーコードを有するサブフレームの第２のスロット中のＰＵＣＣＨデータを逆拡散すること開示する。
【０００９】
別の態様は、ユーザ機器（ＵＥ）固有シグナリングパラメータを判断することを含むワイヤレス通信の方法を開示する。また、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信することを含む。
【００１０】
別の態様では、ワイヤレス通信の方法は、ユーザ機器（ＵＥ）固有シグナリングパラメータを判断することを開示する。また、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信することを含む。
【００１１】
別の態様は、メモリと、メモリに結合された少なくとも１つのプロセッサとを有するワイヤレス通信を開示する。（１つまたは複数の）本プロセッサは、第１の直交カバーコード（ＯＣＣ）を用いてサブフレームの第１のスロット中で物理アップリンク制御チャネル（ＰＵＣＣＨ）データを送信するように構成される。本プロセッサはまた、第１のＯＣＣとは異なる第２の直交カバーコードを用いてサブフレームの第２のスロット中で物理アップリンク制御チャネル（ＰＵＣＣＨ）データを送信するように構成される。
【００１２】
別の態様では、メモリと、メモリに結合された少なくとも１つのプロセッサとを有するワイヤレス通信を開示する。（１つまたは複数の）本プロセッサは、物理アップリンク制御チャネル（ＰＵＣＣＨ）データを受信し、第１の直交カバーコード（ＯＣＣ）を有するサブフレームの第１のスロット中のＰＵＣＣＨデータを逆拡散するように構成される。（１つまたは複数の）本プロセッサはまた、第１のＯＣＣとは異なる第２の直交カバーコードを有するサブフレームの第２のスロット中のＰＵＣＣＨデータを逆拡散するように構成される。
【００１３】
別の態様は、メモリと、メモリに結合された少なくとも１つのプロセッサとを有するワイヤレス通信を開示する。（１つまたは複数の）本プロセッサは、ユーザ機器（ＵＥ）固有シグナリングパラメータを判断するように構成される。（１つまたは複数の）本プロセッサはまた、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信するように構成される。
【００１４】
別の態様では、メモリと、メモリに結合された少なくとも１つのプロセッサとを有するワイヤレス通信を開示する。（１つまたは複数の）本プロセッサは、ユーザ機器（ＵＥ）固有シグナリングパラメータを判断するように構成される。（１つまたは複数の）本プロセッサはまた、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信するように構成される。
【００１５】
別の態様では、第１の直交カバーコード（ＯＣＣ）を用いてサブフレームの第１のスロット中で物理アップリンク制御チャネル（ＰＵＣＣＨ）データを送信するための手段を含むワイヤレス通信のための装置を開示する。また、第１のＯＣＣとは異なる第２の直交カバーコードを用いてサブフレームの第２のスロット中で物理アップリンク制御チャネル（ＰＵＣＣＨ）データを送信するための手段を含む。
【００１６】
別の態様は、物理アップリンク制御チャネル（ＰＵＣＣＨ）データを受信するための手段を含む装置を開示する。また、第１の直交カバーコード（ＯＣＣ）を有するサブフレームの第１のスロット中のＰＵＣＣＨデータを逆拡散するための手段と、第１のＯＣＣとは異なる第２の直交カバーコードを有するサブフレームの第２のスロット中のＰＵＣＣＨデータを逆拡散するための手段とを含む。
【００１７】
別の態様では、ユーザ機器（ＵＥ）固有シグナリングパラメータを判断するための手段を含むワイヤレス通信のための装置を開示する。また、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信するための手段を含む。
【００１８】
別の態様は、ユーザ機器（ＵＥ）固有シグナリングパラメータを判断するための手段を含む装置を開示する。また、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信するための手段を含む。
【００１９】
別の態様では、ワイヤレスネットワークにおけるワイヤレス通信のためのコンピュータプログラム製品を開示する。本コンピュータ可読媒体は、（１つまたは複数の）プロセッサによって実行されたとき、第１の直交カバーコード（ＯＣＣ）を用いてサブフレームの第１のスロット中で物理アップリンク制御チャネル（ＰＵＣＣＨ）データを送信する動作を（１つまたは複数の）プロセッサに実行させるプログラムコードを記録する。本プログラムコードはまた、第１のＯＣＣとは異なる第２の直交カバーコードを用いてサブフレームの第２のスロット中で物理アップリンク制御チャネル（ＰＵＣＣＨ）データを送信することを（１つまたは複数の）プロセッサに行わせる。
【００２０】
別の態様は、ワイヤレスネットワークにおけるワイヤレス通信のためのコンピュータプログラム製品を開示する。本コンピュータ可読媒体は、（１つまたは複数の）プロセッサによって実行されたとき、物理アップリンク制御チャネル（ＰＵＣＣＨ）データを受信する動作を（１つまたは複数の）プロセッサに実行させるプログラムコードを記録する。本プログラムコードはまた、第１の直交カバーコード（ＯＣＣ）を有するサブフレームの第１のスロット中のＰＵＣＣＨデータを逆拡散することと、第１のＯＣＣとは異なる第２の直交カバーコードを有するサブフレームの第２のスロット中のＰＵＣＣＨデータを逆拡散することとを（１つまたは複数の）プロセッサに行わせる。
【００２１】
別の態様では、ワイヤレスネットワークにおけるワイヤレス通信のためのコンピュータプログラム製品を開示する。本コンピュータ可読媒体は、（１つまたは複数の）プロセッサによって実行されたとき、ユーザ機器（ＵＥ）固有シグナリングパラメータを判断する動作を（１つまたは複数の）プロセッサに実行させるプログラムコードを記録する。本プログラムコードはまた、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って送信することを（１つまたは複数の）プロセッサに行わせる。
【００２２】
別の態様は、ワイヤレスネットワークにおけるワイヤレス通信のためのコンピュータプログラム製品を開示する。本コンピュータ可読媒体は、（１つまたは複数の）プロセッサによって実行されたとき、ユーザ機器（ＵＥ）固有シグナリングパラメータを判断する動作を（１つまたは複数の）プロセッサに実行させるプログラムコードを記録する。本プログラムコードはまた、ユーザ機器（ＵＥ）固有シグナリングパラメータとサブフレームのスロット中のシンボルの数とに基づいて物理リソースブロック（ＰＲＢ）にマッピングされる物理アップリンク制御チャネル（ＰＵＣＣＨ）リソースに従って受信することを（１つまたは複数の）プロセッサに行わせる。
【００２３】
一態様では、ワイヤレス通信の方法を開示する。本方法は、ユーザ機器（ＵＥ）固有シグナリングパラメータを判断することを含む。また、ＰＵＣＣＨデータ送信のために使用される第１および第２の直交カバーコード（ＯＣＣ）を選択するためにＵＥにＵＥ固有シグナリングパラメータを送信することを含む。
【００２４】
別の態様は、メモリと、メモリに結合された少なくとも１つのプロセッサとを有するワイヤレス通信を開示する。（１つまたは複数の）本プロセッサは、ユーザ機器（ＵＥ）固有シグナリングパラメータを判断するように構成される。（１つまたは複数の）本プロセッサはまた、ＰＵＣＣＨデータ送信のために使用される第１および第２の直交カバーコード（ＯＣＣ）を選択するためにＵＥにＵＥ固有シグナリングパラメータを送信するように構成される。
【００２５】
別の態様は、ユーザ機器（ＵＥ）固有シグナリングパラメータを判断するための手段を含む装置を開示する。また、ＰＵＣＣＨデータ送信のために使用される第１および第２の直交カバーコード（ＯＣＣ）を選択するためにＵＥにＵＥ固有シグナリングパラメータを送信するための手段を含む。
【００２６】
別の態様では、ワイヤレスネットワークにおけるワイヤレス通信のためのコンピュータプログラム製品を開示する。本コンピュータ可読媒体は、（１つまたは複数の）プロセッサによって実行されたとき、ユーザ機器（ＵＥ）固有シグナリングパラメータを判断するためのプログラムコードの動作を（１つまたは複数の）プロセッサに実行させるプログラムコードを記録する。本プログラムコードはまた、ＰＵＣＣＨデータ送信のために使用される第１および第２の直交カバーコード（ＯＣＣ）を選択するためにＵＥにＵＥ固有シグナリングパラメータを送信することを（１つまたは複数の）プロセッサに行わせる。
【００２７】
ここでは、以下の詳細な説明がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は理解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で提供され、本開示の範囲を定めるものではないことを明白に理解されたい。
【図面の簡単な説明】
【００２８】
【図１】モバイル通信システムの一例を概念的に示すブロック図。
【図２】モバイル通信システムにおけるダウンリンクフレーム構造の一例を概念的に示すブロック図。
【図３】アップリンク通信における例示的なフレーム構造を概念的に示すブロック図。
【図４】本開示の一態様に従って構成された基地局／ｅノードＢおよびＵＥの設計を概念的に示すブロック図。
【図５】本開示の一態様による、ＰＵＣＣＨのための例示的な物理リソースブロック割振りを示す図。
【図６】本開示の一態様による、ワイヤレス通信のプロセスを示すフローチャート。
【図７】本開示の別の態様による、ワイヤレス通信のプロセスを示すフローチャート。
【図８】本開示の別の態様による、ワイヤレス通信のプロセスを示すフローチャート。
【発明を実施するための形態】
【００２９】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００３０】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、米国電気通信工業会（ＴＩＡ：Telecommunications Industry Association）のＣＤＭＡ２０００（登録商標）などの無線技術を実装し得る。ＵＴＲＡ技術は、Ｗｉｄｅｂａｎｄ  ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡ技術およびＥ−ＵＴＲＡ技術はＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる団体からの文書に記載されている。ＣＤＭＡ２０００（登録商標）およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００３１】
図１に、以下で説明するようにリソースを割り当てるＬＴＥ／−Ａネットワークであり得るワイヤレス通信ネットワーク１００を示す。ワイヤレスネットワーク１００は、いくつかの発展型ノードＢ（ｅノードＢ）１１０と他のネットワークエンティティとを含む。ｅノードＢは、ＵＥと通信する局であり得、基地局、ノードＢ、アクセスポイントなどと呼ばれることもある。各ｅノードＢ１１０は、特定の地理的エリアに通信カバレージを提供し得る。３ＧＰＰでは、「セル」という用語は、この用語が使用されるコンテキストに応じて、ｅノードＢのこの特定の地理的カバレージエリアおよび／またはこのカバレージエリアをサービスするｅノードＢサブシステムを指すことができる。
【００３２】
ｅノードＢは、マクロセル、ピコセル、フェムトセル、および／または他のタイプのセルに通信カバレージを提供し得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢである。また、ｅノードＢ１１０ｙおよび１１０ｚは、それぞれフェムトセル１０２ｙおよび１０２ｚのためのフェムトｅノードＢである。ｅノードＢは、１つまたは複数の（たとえば、２つ、３つ、４つなどの）セルをサポートし得る。
【００３３】
ワイヤレスネットワーク１００はまた、中継局を含み得る。中継局は、上流局（たとえば、ｅノードＢ、ＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００３４】
ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００３５】
ワイヤレスネットワーク１００は、同期動作または非同期動作をサポートし得る。同期動作の場合、ｅノードＢは同様のフレームタイミングを有し得、異なるｅノードＢからの送信は時間的にほぼ整合され得る。非同期動作の場合、ｅノードＢは異なるフレームタイミングを有し得、異なるｅノードＢからの送信は時間的に整合されないことがある。本明細書で説明する技法は、同期動作または非同期動作のいずれかのために使用され得る。
【００３６】
一態様では、ワイヤレスネットワーク１００は、周波数分割複信（ＦＤＤ）動作モードまたは時分割複信（ＴＤＤ）動作モードをサポートし得る。本明細書で説明する技法は、ＦＤＤ動作モードまたはＴＤＤ動作モードのために使用され得る。
【００３７】
ネットワークコントローラ１３０は、ｅノードＢ１１０のセットに結合し、これらのｅノードＢ１１０の協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００３８】
ＵＥ１２０（たとえば、ＵＥ１２０ｘ、ＵＥ１２０ｙなど）はワイヤレスネットワーク１００全体にわたって分散され、各ＵＥは固定またはモバイルであり得る。ＵＥは、端末、ユーザ端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００３９】
ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定でもよく、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０、１５または２０ＭＨｚの対応するシステム帯域幅に対してそれぞれ１つ、２つ、４つ、８つまたは１６個のサブバンドがあり得る。
【００４０】
図２に、ＬＴＥ／−Ａにおいて使用されるダウンリンクＦＤＤフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４１】
ＬＴＥ／−Ａでは、ｅノードＢは、ｅノードＢ中の各セルについて１次同期信号（ＰＳＣまたはＰＳＳ：primary synchronization signal）と２次同期信号（ＳＳＣまたはＳＳＳ：secondary synchronization signal）とを送り得る。ＦＤＤ動作モードの場合、１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ＦＤＤ動作モードの場合、ｅノードＢは、サブフレーム０のスロット１中のシンボル期間０〜３中で物理ブロードキャストチャネル（ＰＢＣＨ）を送り得る。ＰＢＣＨはあるシステム情報を搬送し得る。
【００４２】
ｅノードＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ個）を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図２に示す例では、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００４３】
ｅノードＢは、ｅノードＢによって使用されるシステム帯域幅の中心の１．０８ＭＨｚにおいてＰＳＣ、ＳＳＣおよびＰＢＣＨを送り得る。ｅノードＢは、ＰＣＦＩＣＨおよびＰＨＩＣＨを、これらのチャネルが送られる各シンボル期間中のシステム帯域幅全体にわたって、送り得る。ｅノードＢは、システム帯域幅のいくつかの部分においてＵＥのグループにＰＤＣＣＨを送り得る。ｅノードＢは、システム帯域幅の特定の部分においてＵＥのグループにＰＤＳＣＨを送り得る。ｅノードＢは、すべてのＵＥにブロードキャスト方法でＰＳＣ、ＳＳＣ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４４】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。制御チャネルのために使用されるシンボルの場合、各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せのみがＰＤＣＣＨに対して許可され得る。
【００４５】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨ中のすべてのＵＥに対して許可される組合せの数よりも少ない。ｅノードＢは、ＵＥが探索することになる組合せのいずれかにおいてＵＥにＰＤＣＣＨを送り得る。
【００４６】
ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００４７】
図３は、アップリンクＬＴＥ／−Ａ通信における例示的なＦＤＤおよびＴＤＤ（特殊ではないサブフレームのみ）サブフレーム構造を概念的に示すブロック図である。アップリンクのために利用可能なリソースブロック（ＲＢ：resource block）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００４８】
ＵＥには、ｅノードＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。一態様によれば、緩和シングルキャリア動作では、並列チャネルはＵＬリソース上で送信され得る。たとえば、制御およびデータチャネル、並列制御チャネル、ならびに並列データチャネルがＵＥによって送信され得る。
【００４９】
ＰＳＣ（１次同期キャリア：primary synchronization carrier）、ＳＳＣ（２次同期キャリア：secondary synchronization carrier）、ＣＲＳ（共通基準信号：common reference signal）、ＰＢＣＨ、ＰＵＣＣＨ、ＰＵＳＣＨ、およびＬＴＥ／−Ａにおいて使用される他のそのような信号およびチャネルは、公開されている「Evolved Universal Terrestrial Radio Access (E-UTRA); Physical Channels and Modulation」と題する３ＧＰＰ  ＴＳ  ３６．２１１に記載されている。
【００５０】
図４に、図１の基地局／ｅノードＢのうちの１つであり得る基地局／ｅノードＢ１１０および図１のＵＥのうちの１つであり得るＵＥ１２０の設計のブロック図を示す。たとえば、基地局１１０は、図１のマクロｅノードＢ１１０ｃであり得、ＵＥ１２０はＵＥ１２０ｙであり得る。基地局１１０はまた、何らかの他のタイプの基地局であり得る。基地局１１０は、アンテナ４３４ａ〜４３４ｔを装備し得、ＵＥ１２０は、アンテナ４５２ａ〜４５２ｒを装備し得る。
【００５１】
基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データと制御情報とを処理（たとえば、符号化およびシンボルマッピング）して、それぞれデータシンボルと制御シンボルとを取得し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、（たとえば、ＯＦＤＭなどの）それぞれの出力シンボルストリームを処理して出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００５２】
ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに与え得る。各復調器４５４は、それぞれの受信信号を調整（たとえば、フィルタ処理、増幅、ダウンコンバート、およびデジタル化）して入力サンプルを取得し得る。各復調器４５４はさらに、（たとえば、ＯＦＤＭなどの）入力サンプルを処理して受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８は、検出されたシンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００５３】
アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）変調器４５４ａ〜４５４ｒによって処理され、基地局１１０に送信され得る。基地局１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に与え、復号された制御情報をコントローラ／プロセッサ４４０に与え得る。基地局１１０は、たとえば、Ｘ２インターフェース４４１上で他の基地局にメッセージを送ることができる。
【００５４】
コントローラ／プロセッサ４４０および４８０は、それぞれ基地局１１０およびＵＥ１２０における動作を指示し得る。基地局１１０におけるプロセッサ４４０および／または他のプロセッサならびにモジュールは、本明細書で説明する技法についての様々なプロセスを実行するか、またはその実行を指示し得る。ＵＥ１２０およびｅノードＢにおけるプロセッサ４８０／４４０および／または他のプロセッサならびにモジュールはまた、図６および図７に示す使用方法フローチャートに示される機能ブロックおよび／または本明細書で説明する技法の他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５５】
現在、ワイヤレス通信ネットワークにおける送信リソースの割振りの様々な態様を定義する必要がある。
【００５６】
新しい離散フーリエ変換（ＤＦＴ：discrete Fourier transform）拡散ＳＣ−ＦＤＭ  ＰＵＣＣＨフォーマットの多くの詳細は、現行バージョンのＬＴＥ−Ａ仕様において指定されている。ＤＦＴ拡散ＳＣ−ＦＤＭフォーマットでは、同じＳＣ−ＦＤＭシンボルが時間的に繰り返されるが、各繰り返しが定数で乗算され、それらの定数の時間シーケンスが直交カバーコード（ＯＣＣ）を形成する。多重化されたＵＥの各々に異なるＯＣＣが割り当てられるとき、複数のＵＥは、同じ物理リソース（同じ時間および同じ周波数）において多重化され得る。現行バージョンのＬＴＥ−Ａ仕様において指定されているＰＵＣＣＨフォーマット３は、あるバージョンのＤＦＴ拡散ＳＣ−ＦＤＭフォーマットをシンボル毎サイクリックシフト（per symbol cyclic shift）と組み合わせて使用する。本開示では、いくつかの追加の態様について説明する。
【００５７】
ＰＵＣＣＨフォーマット３のための復調基準信号（ＤＭ−ＲＳ：demodulation reference signal）割振りは定義されていない。いくつかの設計では、サイクリックシフト間隔を増大または最大化するマッピングが実行され得る。さらに、第１のシンボル中での間隔が密なサイクリックシフトをより大きいサイクリックシフト距離および／または反対の位置に移動するために、ＤＭ−ＲＳシンボルにわたる再マッピングが実行され得る。いくつかの設計では、第１のＤＭ−ＲＳシンボル割当てが第１のサイクリックシフトを使用し得、第２のＤＭ−ＲＳシンボル割当てが第２のサイクリックシフトを使用し得る。第２のサイクリックシフトは、第１のサイクリックシフトよりも離れた距離を有する送信リソースを生じる。「距離」は、シンボル数割当て間の数値差を指す。
【００５８】
ノーマルサイクリックプレフィックス（ＣＰ：cyclic prefix）、非短縮ＰＵＣＣＨフォーマット３（すなわち、サウンディング基準信号（ＳＲＳ：sounding reference signal）なし）について、サイクリックシフト値は表１に示すように割り当てられ得る。表１のエントリからわかるように、第１のシンボル中の最初の２つの値（０および３）は、第２のシンボル中の最初の２つの値（０および８）よりも互いに「近接」している。
【表１】
2013539951.tif 000003
【００５９】
ノーマルサイクリックプレフィックス（ＣＰ）、短縮ＰＵＣＣＨフォーマット３について、サイクリックシフト値を表２に与える。
【表２】
2013539951.tif 000004
【００６０】
拡張サイクリックプレフィックス、非短縮ＰＵＣＣＨフォーマット３（すなわち、ＳＲＳなし）について、サイクリックシフト値を表３に与える。いくつかの設計では、第１のスロット割当てが第１のサイクリックシフトを使用し得、第２のスロット割当てが第２のサイクリックシフトを使用し得る。第２のサイクリックシフトは、第１のサイクリックシフトよりも離れた距離だけ分離されている送信リソースを生じる。「距離」は、スロット数割当て間の数値差を指す。表３のエントリからわかるように、第１のスロット中の最初の２つの値（０および３）は、第２のスロット中の最初の２つの値（０および８）よりも互いに「近接」している。
【表３】
2013539951.tif 000005
【００６１】
拡張ＣＰ、短縮ＰＵＣＣＨフォーマット３について、サイクリックシフト値を表４に与える。
【表４】
2013539951.tif 000006
【数１】
2013539951.tif 000007
【００６２】
であるスロットでは、隣接するリソース間のサイクリックシフト間隔は２または３であることに留意されたい。
【数２】
2013539951.tif 000008
【００６３】
であるスロットでは、最小サイクリックシフト間隔は３である。
【００６４】
短縮ＰＵＣＣＨフォーマットでは、リソースインデックス０と４の両方ではなく、そのいずれかが使用され得る。いずれかのリソースインデックスを使用することを可能にすることによって、動的に短縮ＰＵＣＣＨフォーマット３を割り振るスケジューラフレキシビリティが増大、またはさらには最大化され得る。
【００６５】
いくつかの設計では、ＰＵＣＣＨフォーマット２／２ａ／２ｂの場合のようにＤＭ−ＲＳについて同じサイクリックシフトホッピング方式が続き得る。そのようなサイクリックシフトホッピング方式は、ＰＵＣＣＨフォーマット３チャネル推定に対する（同じセル中のＵＥ間干渉とは区別される）セル間干渉の影響を緩和し得る。
【００６６】
提案されたサイクリックシフトは以下に示すように実装され得る。
【００６７】
ＰＵＣＣＨフォーマット２、２ａおよび２ｂについて、αp（ｎs，ｌ）は３ＧＰＰ  ＴＳ  ３６．２１１セクション５．４．２によって定義されている。
【数３】
2013539951.tif 000009
【表５】
2013539951.tif 000010
【００６８】
各スロット
【数４】
2013539951.tif 000011
【００６９】
のための基準シンボルの数およびシーケンス
【数５】
2013539951.tif 000012
【００７０】
は、それぞれ表５．５．２．２．１−１および５．５．２．２．１−３によって与えられる。
【００７１】
ノーマルサイクリックプレフィックスの場合、ＯＣＣはＰＵＣＣＨフォーマット３ＤＭ−ＲＳに対して定義され得る。本開示の一態様によれば、実装形態は以下の通りである。
【００７２】
ＰＵＣＣＨフォーマット３については、αp（ｎs，ｌ）は次式によって与えられる。
【数６】
2013539951.tif 000013
【００７３】
ＰＵＣＣＨフォーマット３については、
【数７】
2013539951.tif 000014
【００７４】
は次式によって与えられる。
【数８】
2013539951.tif 000015
【００７５】
各スロット
【数９】
2013539951.tif 000016
【００７６】
のための基準シンボルの数およびシーケンス
【数１０】
2013539951.tif 000017
【００７７】
は、それぞれ表５．５．２．２．１−１および５．５．２．２．１−３によって与えられる。
【表６】
2013539951.tif 000018
【表７】
2013539951.tif 000019
【表８】
2013539951.tif 000020
【表９】
2013539951.tif 000021
【００７８】
さらに、ＯＣＣインデックスへのＰＵＣＣＨフォーマット３リソースインデックスのマッピングは定義されていない。いくつかの設計では、リソースインデックスは、第１のスロット中の利用可能なリソースに従ってマッピングされる。しかしながら、この解決策の欠点は、衝突を回避するために基地局が短縮ＰＵＣＣＨフォーマット３サブフレーム中の利用可能なリソースを追跡し、リソースを管理する必要があり得るということである。
【００７９】
いくつかの設計では、ＯＣＣはデータについてマッピングされ得る。ＰＵＣＣＨフォーマット３では、すべてのシンボル上で同じデータが送信される。ＯＣＣはＵＥを多重化するために使用され得る。本開示の一態様では、ＯＣＣを所与のサブフレームの２つのスロット間に再マッピングして、高いドップラーシナリオにおける性能を向上し得る。ＯＣＣがＤＦＴ基底関数である時、隣接するＯＣＣ関数は、クロスユーザ干渉を最も受けやすくなる。したがって、再マッピングは、隣接するＯＣＣ関数を隣接しないＯＣＣ関数に移動すべきである。これは、リソースインデックスのうちの２つのデシメーションを用いて達成され得る。すなわち、ＯＣＣインデックスは、サブフレームのあるスロットから他のスロットにホッピングする。第２のスロットが４つのシンボルのみを有する場合、ＯＣＣインデックスを表５．４．２Ａ−１において定義する。第２のスロットが５つのシンボルを有する場合、ホッピングは以下の式１および式２に基づいて導出される。
【００８０】
より詳細には、ＯＣＣインデックスは、ＵＥ固有シグナリングパラメータ（たとえば、ＰＵＣＣＨリソースインデックス）とサブフレームのスロットの拡散率とに基づく。フォーマット３では、２つのシンボルがＤＭ−ＲＳによって占有されるので、各スロットは多くて５つのシンボルを有する。第２のスロットはまた、最後のシンボル中にＳＲＳを含むことができる。この場合、第２のスロットは４つのシンボルのみを有する。
【００８１】
提案されたデータＯＣＣマッピングは以下に示すように実装され得る。
【００８２】
ビットｂ（０），．．．，ｂ（Ｍbit−１）のブロックは、ＵＥ固有スクランブルシーケンスを用いてスクランブルされ、
【数１１】
2013539951.tif 000022
【００８３】
に従って、スクランブルされたビットのブロック
【数１２】
2013539951.tif 000023
【００８４】
を生じる。
【００８５】
スクランブルシーケンスｃ（ｉ）はセクション７．２によって与えられる。スクランブルシーケンス発生器は、各サブフレームの開始時に
【数１３】
2013539951.tif 000024
【００８６】
を用いて初期化されるものとし、ｎRNTIはＣ−ＲＮＴＩである。
【００８７】
スクランブルされたビット
【数１４】
2013539951.tif 000025
【００８８】
のブロックは、３ＧＰＰ  ＴＳ  ３６．２１１セクション７．１に記載されているようにＱＰＳＫ変調され得、複素数値変調シンボルｄ（０），．．．，ｄ（Ｍsymb−１）のブロックを生じ、
【数１５】
2013539951.tif 000026
【００８９】
である。
【００９０】
複素数値シンボルｄ（０），．．．，ｄ（Ｍsymb−１）は、直交シーケンス
【数１６】
2013539951.tif 000027
【００９１】
で、ブロックワイズ拡散され、
【数１７】
2013539951.tif 000028
【００９２】
の値の
【数１８】
2013539951.tif 000029
【００９３】
のセットを生じ、各々は次式に従う。
【数１９】
2013539951.tif 000030
【００９４】
上式で、通常のＰＵＣＣＨフォーマット３を使用するサブフレーム中の両方のスロットについて
【数２０】
2013539951.tif 000031
【００９５】
であり、
【数２１】
2013539951.tif 000032
【００９６】
は、短縮ＰＵＣＣＨフォーマット３を使用するサブフレーム中のそれぞれ第１および第２のスロットに対して成立する。直交シーケンス
【数２２】
2013539951.tif 000033
【００９７】
および
【数２３】
2013539951.tif 000034
【００９８】
は、表５．４．２Ａ−１によって与えられる。ＰＵＣＣＨフォーマット３を送信するためのリソースは、リソースインデックス
【数２４】
2013539951.tif 000035
【００９９】
によって識別され、そこから量ｎoc,0およびｎoc,0が式１
【数２５】
2013539951.tif 000036
【０１００】
および式２
【数２６】
2013539951.tif 000037
【０１０１】
として導出される。
【表１０】
2013539951.tif 000038
【０１０２】
すなわち、サブフレームの両方のスロットのためのＯＣＣインデックスを導出するために、ＵＥ固有シグナリングパラメータ（たとえば、リソースインデックス
【数２７】
2013539951.tif 000039
【０１０３】
）が使用され得る。さらに、第２のスロットについて、ＯＣＣインデックスはまた、４つのシンボルが利用可能であるか、または５つのシンボルが利用可能であるか（すなわち、ＳＲＳが最後のシンボル中で送信されるかどうか）に依存する。
【０１０４】
本開示の別の態様によれば、物理リソースブロック（ＰＲＢ）へのＰＵＣＣＨフォーマット３リソースのマッピングが定義される。ＰＲＢへのマッピングのための２つの構成を提案する。他の設計では、Ｒｅｌ−８と同様の機構がＰＵＣＣＨフォーマット３のために拡張される。いくつかの設計では、以下でより詳細に説明するように、可変マッピングが実行される。
【０１０５】
いくつかの設計では、３ＧＰＰ  ＴＳ  ３６．３２１１に記載されているマッピングと同様のマッピングが使用され得る。物理リソースへのマッピングの提案された適用は、現行バージョンのＬＴＥ−Ａへの以下の変更を使用して実装され得る。
【０１０６】
複素数値シンボルブロックｚ(p)（ｉ）は、指定された送信電力ＰPUCCHに適合するために振幅スケーリングファクタβPUCCHで乗算され、ｚ(p)（０）から開始して順々にリソース要素にマッピングされる。ＰＵＣＣＨは、サブフレーム中の２つのスロットの各々中で１つのリソースブロックを使用する。送信のために使用される物理リソースブロック内で、アンテナポートｐ上の、基準信号の送信のために使用されないリソース要素（ｋ，ｌ）へのｚ(p)（ｉ）のマッピングは、最初にｋ、次いでｌ、最後にスロット番号の昇順であり、サブフレーム中の第１のスロットから開始する。
【０１０７】
スロットｎs中でＰＵＣＣＨを送信するために使用される物理リソースブロックは、次式によって与えられる。
【数２８】
2013539951.tif 000040
【０１０８】
上式で、変数ｍはＰＵＣＣＨフォーマットに依存する。フォーマット１、１ａおよび１ｂの場合、次式の通りであり、
【数２９】
2013539951.tif 000041
【０１０９】
フォーマット２、２ａおよび２ｂの場合、次式の通りであり、
【数３０】
2013539951.tif 000042
【０１１０】
フォーマット３の場合、次式の通りである。
【数３１】
2013539951.tif 000043
【０１１１】
インデックスｍが、フォーマット２／２ａ／２ｂについては上位レイヤ構成パラメータを使用して計算され、フォーマット３については拡散率依存分母（spreading factor dependent denominator）を使用して計算されることを諒解されよう。したがって、フォーマット２／２ａ／２ｂについては、１２個の異なる値が可能であり得、フォーマット３については、４つまたは５つの異なる値が可能である。
【０１１２】
さらに、ＤＦＴ−Ｓ−ＯＦＤＭがＲｅｌ−８  ＰＵＣＣＨフォーマット１／１ａ／１ｂおよびＰＵＣＣＨフォーマット２／２ａ／２ｂに適合しないことを考慮して、ＤＦＴ−Ｓ−ＯＦＤＭのために使用される物理リソースブロックは上位レイヤによって構成されなければならない。Ｒｅｌ−８におけるＰＵＣＣＨのためのリソース構成と同様に、パラメータ
【数３２】
2013539951.tif 000044
【０１１３】
は、ＰＵＣＣＨフォーマット２／２ａ／２ｂおよびＤＦＴ−Ｓ−ＯＦＤＭによって取られるリソースブロックの総量をシグナリングするために再利用され得る。ＰＵＣＣＨフォーマット１／１ａ／１ｂおよびＰＵＣＣＨフォーマット２／２ａ／２ｂが共存している混合リソースブロックをサポートするために、ＰＵＣＣＨフォーマット２／２ａ／２ｂおよびＤＦＴ−Ｓ−ＯＦＤＭのための
【数３３】
2013539951.tif 000045
【０１１４】
個のＲＢのセット中の最後のＰＲＢはＤＦＴ−Ｓ−ＯＦＤＭのために使用されるべきでないことに留意されたい（図５参照）。
【０１１５】
図５に、例示的なＰＲＢ割振り方式５００を示す。ブロック５０２などの各ブロックは、対応するＰＵＣＣＨ送信に割り振られるＰＲＢを表す。図５の割振りは一例にすぎず、その他の割振りが可能であることに留意されたい。ＰＲＢ割振り５００は、動的ＡＣＫリソース判断のためにＲｅｌ８と同様の
【数３４】
2013539951.tif 000046
【０１１６】
パラメータをＵＥ１２０が使用すると主張することを諒解されよう。
【０１１７】
上述のように、先に説明したマッピング方式は、ＵＥの観点と全体的なセル固有フォーマット３利用の観点との両方から、フォーマット３リソースのＰＲＢへのマッピングをコンスタントに保ち得る。いくつかの設計では、ｅＮＢは、短縮ＰＵＣＣＨフォーマット３サブフレーム中で衝突回避方式を実装し得る。
【０１１８】
代替解決策は、フォーマット３リソースのＰＲＢへのマッピングを可変にすることである。この場合、ｅＮＢ１１０は、複雑な衝突解消アルゴリズムを実装しないことがあるが、ｅノードＢは、もし「リサイクル」ＰＲＢが通常のＰＵＣＣＨフォーマット３サブフレーム中に発生したときは、「リサイクル」ＰＲＢを利用するための方式を実装する。
【０１１９】
別の態様では、代替解決策は、フォーマット３開始ＰＲＢを示すために新しいレイヤ３構成パラメータを導入し得る。代替マッピングは、フォーマット３について以下に示すように実装され得る。
【数３５】
2013539951.tif 000047
【０１２０】
上式で、
【数３６】
2013539951.tif 000048
【０１２１】
は、第１のＰＵＣＣＨフォーマット３リソースをマッピングするために使用される周波数オフセットであり、
【数３７】
2013539951.tif 000049
【０１２２】
の倍数単位で表される。
【０１２３】
ＰＵＣＣＨフォーマット３については、αp（ｎs，ｌ）は次式によって与えられる。
【数３８】
2013539951.tif 000050
【０１２４】
ｎsｍｏｄ２＝１の場合は、上式の通りである。
【０１２５】
スロット当たりの基準シンボルの数
【数３９】
2013539951.tif 000051
【０１２６】
およびシーケンス
【数４０】
2013539951.tif 000052
【０１２７】
は、それぞれ表５．５．２．２．１−１および５．５．２．２．１−３によって与えられる。
【０１２８】
本開示の別の態様によれば、データ符号化が考慮される。現在、ペイロードが１１ビット以下であるとき、ＰＵＣＣＨフォーマット３のためにＲｅｌ−８からの（３２、Ｏ）リード−マラー（ＲＭ）コードが再利用される。１１ビットよりも大きいペイロードについては、Ｒｅｌ−８の場合のように、データ符号化のためにテイルバイティング畳み込みコーディング（ＴＢＣＣ：tail biting convolutional coding）が使用され得る。別の構成では、ペイロードは二等分に分割され、各１／２がＲｅｌ−８（３２、Ｏ）ＲＭコードで符号化され得る。各１／２ペイロードのための３２コード化ビットは２４ビットに短縮され、次いで、２４コード化ビットの２つのセットが２つのスロットにわたってインターリーブされる。
【０１２９】
上記で説明したように、ＰＵＣＣＨフォーマット３定義のさらなる詳細が開示されている。一設計では、フォーマット２／２ａ／２ｂの場合と同じサイクリックシフトホッピングを適用することによって、ＤＭ−ＲＳのためのサイクリックシフトホッピングが実装され得る。別の設計では、最も近接したサイクリックシフト間の距離を最大化し、および／または隣接するサイクリックシフトの相対位置を逆にするために、ＤＭ−ＲＳのためのサイクリックシフト割振りが実装され得る。さらに別の設計では、データＯＣＣインデックスへのリソースインデックスのマッピングが実装され得る。さらに別の設計では、大きい電力不平衡の際の干渉抑制を改善するためにスロットにわたるＯＣＣ再マッピングを適用することによって、データＯＣＣインデックスマッピングが実装され得る。さらに、ＰＲＢへのリソース割当てについて説明した。
【０１３０】
図６は、ワイヤレス通信のプロセスのフローチャートである。本方法は、ブロック６０２において、第１のスロット中のＰＵＣＣＨデータを第１のＯＣＣに割り振る。ブロック６０４において、同じサブフレームの第２のスロット中のＰＵＣＣＨデータを異なるＯＣＣに割り振る。ＰＵＣＣＨデータはＰＵＣＣＨフォーマット３に従う。一態様では、第１のＯＣＣおよび第２のＯＣＣは、ＰＵＣＣＨデータを送信するために使用されるリソースを識別する、リソースインデックスなどのＵＥ固有シグナリングパラメータに基づき得る。別の態様では、第２のＯＣＣは、さらに、第２のスロット中のデータのために利用可能なシンボルの数に基づき得る。一態様では、ＯＣＣは、干渉抑制を容易にするためにスロットにわたって選択される。干渉抑制は、あるＵＥのための受信電力が別のＵＥのための受信電力よりも優勢であるときに有用であり得る。干渉抑制は、一方または両方のＵＥの高いドップラーフェージングがあり、送信データ信号間により大きい干渉が生じるときに有用であり得る。
【０１３１】
図７は、ワイヤレス通信のための別のプロセスのフローチャートである。ブロック７０２において、ＰＵＣＣＨリソースを物理リソースブロックにマッピングする。マッピングは、ＵＥ固有シグナリングパラメータと、サブフレームのスロット中のシンボルの数とに基づく。ブロック７０４において、ＰＲＢマッピングに従って通信する。一態様では、マッピングは、さらに、第１のＰＵＣＣＨフォーマット３リソースをマッピングするために使用される周波数オフセットに基づく。周波数オフセットは、（周波数領域中のリソースブロックサイズである、サブキャリアの数として表される）
【数４１】
2013539951.tif 000053
【０１３２】
の倍数単位で表され得る。
【０１３３】
図８は、ワイヤレス通信のための別のプロセスのフローチャートである。ブロック８０２において、（ｅノードＢ１１０などの）ｅノードＢはＵＥ固有シグナリングパラメータを判断する。ブロック８０４において、ｅノードＢ１１０は、ＰＵＣＣＨデータ送信のために使用される第１および第２のＯＣＣを選択するために、ＵＥ１２０にＵＥ固有シグナリングパラメータを送信する。
【０１３４】
一構成では、ＵＥ１２０は、送信するための手段を含むワイヤレス通信のために構成される。一態様では、送信手段は、送信手段によって具陳される機能を実行するように構成されたメモリ４８２、コントローラ／プロセッサ４８０、送信プロセッサ４６４、送信ＭＩＭＯプロセッサ４６６、変調器４５４ａ〜４５４ｒおよび／またはアンテナ４５２ａ〜４５２ｒであり得る。ＵＥ１２０はまた、判断するための手段を含むように構成される。一態様では、判断手段は、判断手段によって具陳される機能を実行するように構成されたメモリ４８２および／またはコントローラ／プロセッサ４８０であり得る。別の態様では、上述の手段は、上述の手段によって具陳される機能を実行するように構成されたモジュールまたは任意の装置であり得る。
【０１３５】
一構成では、ｅノードＢ１１０は、受信するための手段を含むワイヤレス通信のために構成される。一態様では、受信手段は、受信手段によって具陳される機能を実行するように構成された受信プロセッサ４３８、送信ＭＩＭＯ検出器４３６、復調器４３２ａ〜ｔ、コントローラ／プロセッサ４３０および／またはアンテナ４３４ａ〜ｔであり得る。ｅノードＢ１１０はまた、逆拡散するための手段を含むように構成される。一態様では、逆拡散手段は、逆拡散手段によって具陳される機能を実行するように構成されたコントローラ／プロセッサ４４０および／またはメモリ４４２であり得る。ｅノードＢ１１０はまた、判断するための手段を含むように構成される。一態様では、判断手段は、判断手段によって具陳される機能を実行するように構成されたコントローラ／プロセッサ４４０および／またはメモリ４４２であり得る。別の態様では、上述の手段は、上述の手段によって具陳される機能を実行するように構成されたモジュールまたは任意の装置であり得る。
【０１３６】
２つの送信シンボルまたはスロット間のＤＭ−ＲＳのサイクリックなシフト割振りのための技法を開示することを諒解されよう。一態様では、サイクリックにシフトされた送信リソース間の距離（すなわち、スロットインデックス）が増大または最大化される。さらに、いくつかの設計では、ＰＵＣＣＨフォーマット２／２ａ／２ｂの場合と同じホッピングが採用され得る。
【０１３７】
さらに、ＤＭ−ＲＳとして送信される基準信号に対して直交カバーコード（ＯＣＣ）を適用するための技法を開示することを諒解されよう。一態様では、特に、干渉ＵＥ間に大きい電力不平衡がある（すなわち、あるＵＥの受信電力が別のＵＥの受信電力よりも優勢である）とき、ＵＥ間干渉を抑制するために直交コーディングＤＭ−ＲＳ送信が有利であり得る。
【０１３８】
さらに、開示する技法は、通常のＰＵＣＣＨフォーマット３フレームおよび短縮ＰＵＣＣＨフォーマット３フレームにわたる物理リソースブロック（ＰＲＢ）マッピングへのリソースインデックスを維持することを諒解されよう。一態様では、ＯＣＣは、干渉抑制を容易にするためにスロットにわたって再マッピングされる。干渉抑制は、あるＵＥのための受信電力が別のＵＥのための受信電力よりも優勢であるときに有用であり得る。干渉抑制は、一方または両方のＵＥの高いドップラーフェージングがあり、送信ＤＭ−ＲＳ信号間により大きい干渉が生じるときに有用であり得る。
【０１３９】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４０】
さらに、本明細書の開示に関して説明した様々な例示的な論理ブロック、モジュール、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１４１】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４２】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１４３】
１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１４４】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2013539951.tif 000054
【図２】
2013539951.tif 000055
【図３】
2013539951.tif 000056
【図４】
2013539951.tif 000057
【図５】
2013539951.tif 000058
【図６】
2013539951.tif 000059
【図７】
2013539951.tif 000060
【図８】
2013539951.tif 000061
【国際調査報告】
2013539951.tif 000062
2013539951.tif 000063
2013539951.tif 000064
2013539951.tif 000065
2013539951.tif 000066